(57)【要約】【課題】近年、携帯電子機器は小型・軽量化が進んでおり、外付け安定化容量などの外付け部品点数を削減する方向にあり、従来は駆動電圧を出力する電流増幅回路の各々に外付け安定化容量を設けていた。【解決手段】Ｖ１〜Ｖ５とＧＮＤの６レベルを出力する液晶駆動電源回路において、Ｖ２ １０１を出力する電流増幅回路４０４及びＶ４ １０３を出力する電流増幅回路４０６のどちらかの出力端子を選択するセレクタ４１２と、Ｖ３ １０２を出力する電流増幅回路４０５及びＶ５ １０４を出力する電流増幅回路４０７のどちらかの出力端子を選択するセレクタ４１３を設け、上記セレクタ４１２及びセレクタ４１３の出力端子間に外付け安定化容量３１６を接続した。これにより、Ｖ２〜Ｖ５の４つの駆動電圧を１つの外付け安定化容量３１６にて安定化させることが可能となった。【選択図】  図４
2004205580.tif 000002
【特許請求の範囲】
【請求項１】
複数のコモン電極とセグメント電極のそれぞれに対し、所定の電圧を印加して表示を実現する表示装置を駆動するため、複数の駆動電圧レベルを生成して出力する表示装置用駆動電源回路において、
該駆動電圧レベルは一定の周期毎に印加電圧の極性を反転する交流化信号の極性に従い、使用しない駆動電圧レベルと使用する駆動電圧レベルが時系列に切り替わり、使用する駆動電圧レベルを出力する出力端子に外付け安定化容量が接続される切り替え手段を具備することを特徴とする表示装置用駆動電源回路。
【請求項２】
前記複数の駆動電圧レベルは高電圧順に第１〜第５とＧＮＤの６レベルであり、該第２の駆動電圧レベルと第３の駆動電圧レベルの電位差と該第４の駆動電圧レベルと第５の駆動電圧レベルの電位差は同電位であり、前記交流化信号の極性に従って前記第２の駆動電圧レベルか第４の駆動電圧レベルを出力する出力端子のどちらかを選択するセレクタと、前記交流化信号の極性に従って前記第３の駆動電圧レベルか第４の駆動電圧レベルを出力する出力端子のどちらかを選択するセレクタを具備し、
前記第２の駆動電圧レベルと第３の駆動電圧レベル或いは前記第４の駆動電圧レベルと第５の駆動電圧レベルがオーバーラップして選択され、前記2つのセレクタの出力端子間に外付け安定化容量を接続することを特徴とする請求項１に記載の表示装置用駆動電源回路。
【請求項３】
前記複数の駆動電圧レベルにおいて、前記使用しない駆動電圧レベルの出力動作を停止状態又はハイ・インピーダンス状態にすることを特徴とする請求項１から２に記載の表示装置用駆動電源回路。
【請求項４】
前記使用する駆動電圧レベルと使用しない駆動電圧レベルの切り替えは、表示装置の最終の走査線が選択された後の垂直帰線期間にて行なうことを特徴とする請求項１から３に記載の表示装置用駆動電源回路。
【請求項５】
複数のコモン電極とセグメント電極のそれぞれに対し、所定の電圧を印加して表示を実現する表示装置を駆動するため、複数レベルの駆動電圧を生成して出力する表示装置用電源回路において、
該複数レベルの駆動電圧は、一定の周期毎に印加電圧の極性を反転する交流化信号に従い、使用するレベルと使用しないレベルが時系列に切り替わり、該使用するレベルと使用しないレベルの中から、それぞれ一つの出力端子どうしを短絡し、該使用するレベルと使用しないレベルの中から、短絡した出力端子とは別の出力端子どうしを短絡し、短絡した出力端子のうち該使用する２種類のレベルの出力端子間に外付け安定化容量を接続し、短絡した出力端子のうち該使用しない２種類のレベルの出力動作を停止状態ハイ・インピーダンス状態にすることを特徴とする表示装置用動電源回路。
【請求項６】
前記複数の駆動電圧レベルは高電圧順に第１〜第５とＧＮＤの６レベルであり、該第２の駆動電圧レベルと第３の駆動電圧レベルの電位差と該第４の駆動電圧レベルと第５の駆動電圧レベルの電位差は同電位であり、前記交流化信号に従い、前記第２の駆動電圧レベルと第３の駆動電圧レベル或いは前記第４の駆動電圧レベルと第５の駆動電圧レベルの何れか一方を使用し、使用されない他方の出力動作を停止し、使用する一方の出力端子間に外付け安定化容量を接続し、使用する一方の出力端子を短絡し、使用しない他方の出力端子を短絡することを特徴とする請求項５に記載の表示装置用駆動電源回路。
【請求項７】
前記使用する駆動電圧レベルと使用しない駆動電圧レベルの切り替えは、前記表示装置の最終の走査線が選択された後の垂直帰線期間内にて行なうことを特徴とする請求項５から６に記載の表示装置用駆動電源回路。
【発明の詳細な説明】
【０００１】
【発明の属する技術分野】
本発明は、複数のコモン電極とセグメント電極のそれぞれに対し、所定の電圧を印加して表示を実現する表示装置を駆動するため、複数の駆動電圧レベルを生成して出力する表示装置用駆動電源回路に係り、特に、液晶表示装置、有機ＥＬ表示装置のための表示装置用駆動電源回路に関する。
【０００２】
【従来の技術】
直列接続された抵抗Ｒ１〜Ｒ５にて電圧供給源１の電圧が分圧され、これらの電圧はボルテージフォロア接続されたオペアンプＯＰ１〜ＯＰ４を介し電圧Ｖ１〜Ｖ４として出力され、電圧供給源１自身の出力電圧Ｖ０、Ｖ５を含む６レベルの電圧がＶ０＞Ｖ１＞Ｖ２＞Ｖ３＞Ｖ４＞Ｖ５という関係をもつ電圧発生回路において、Ｖ２、Ｖ３間は抵抗Ｒ２３にて接続され、またその両出力それぞれとＶ５間にコンデンサＣ２、Ｃ３が接続されている（特許文献１参照）。
【０００３】
【特許文献１】特開2001-282193号公報
【０００４】
【発明が解決しようとする課題】
近年、携帯電子機器は小型・軽量化が進んでおり、安定化容量など基板実装面積を占有する外付け部品を排除する方向にある。
【０００５】
本発明の目的は、外付け部品点数を削減した表示装置用駆動電源回路を提供することにある。
【０００６】
【課題を解決するための手段】
本願において開示される発明のうち、代表的なものの概要を図１及び図２を用いて説明する。図１は6レベルの駆動電圧を用いた代表的な駆動法である電圧平均化法による液晶駆動波形の一例である。図１において、１００は電圧レベルＶ１、１０１は電圧レベルＶ２、１０２は電圧レベルＶ３、１０３は電圧レベルＶ４、１０４は電圧レベルＶ５、１０５はＧＮＤ、１０６は交流化信号Ｍ、１０７は１フレーム期間、１０８及び１１１は選択電圧Ｖｓｅｌ、１０９及び１１２は表示オン電圧−Ｖｄ、１１０及び１１３は表示オフ電圧＋Ｖｄである。
【０００７】
ＳＴＮ液晶ディスプレイでは、液晶素子の劣化を防止するため、一定の周期毎に印加電圧の極性を反転する交流化が必要となる。そのため、電圧平均化方式では、例えば１フレーム毎に走査信号とデータ信号の極性を反転することで交流化を実現し、また、走査信号の振幅を低くするため、非選択電圧の基準電位をレベルシフトしている。例えば、Ｍ１０６が負極時には、走査ラインへ印加する電圧は、先頭ラインから順にＶ１ １００とＶ５ １０４の電位差であるＶｓｅｌ１０８を１走査期間ずつ印加し、その他の期間ではＶ５ １０４の非選択電圧を印加する。一方データラインへは、選択電圧の印加タイミングに同期し、Ｖ５ １０４とＧＮＤ１０５との電位差である−Ｖｄ１０９またはＶ４ １０３とＶ５ １０４との電位差である＋Ｖｄ１１０を印加する。ここで、選択走査ライン上の画素が表示オンの場合には−Ｖｄ１０９、表示オフの場合には＋Ｖｄ１１０を印加する。この動作を最終ラインまで繰り返すことで、Ｍ１０６が負極時の１フレームが完結する。次のフレーム、Ｍ１０６が正極時には、走査ラインへ印加する電圧は、先頭ラインから順にＶ２ １０１とＧＮＤ１０５の電位差であるＶｓｅｌ１１１を１走査期間ずつ印加し、その他の期間ではＶ２ １０１の非選択電圧を印加する。一方データラインへは、選択電圧の印加タイミングに同期し、Ｖ１ １００とＶ２ １０１との電位差である−Ｖｄ１１２またはＶ２ １０１とＶ３ １０２との電位差である＋Ｖｄ１１３を印加する。ここで、選択走査ライン上の画素が表示オンの場合には−Ｖｄ１１２、表示オフの場合には＋Ｖｄ１１３を印加する。この動作を最終ラインまで繰り返すことで、Ｍ１０６が正極時の１フレームが完結する。
【０００８】
ここで、図１に示すように、Ｍ１０６が負極時にはＶ２ １０１及びＶ３ １０２は出力されておらず、Ｍ１０６が正極時にはＶ４ １０３及びＶ５ １０４は出力されていない。このことに着目すると、Ｍ１０６が負極時にはＶ２ １０１及びV3 １０２の出力端子に接続されている外付け安定化容量は不要であり、また、Ｍ１０６が正極時にはＶ４ １０３及びV５ １０４の出力端子に接続されている外付け安定化容量は不要であることが分かる。上記の点より、図２に示すように、Ｍ１０６の負極時にはＶ５ １０４を選択しＭ１０６の正極時にはＶ２ １０１を選択するセレクタ２００と、Ｍ１０６の負極時にはＶ４ １０３を選択しＭ１０６の正極時にはＶ３ １０２を選択するセレクタ２０１を設け、上記２つのセレクタの出力端子との間に外付け安定化容量２０２を設けることで、Ｖ２ １０１〜Ｖ５ １０４の４つの駆動電圧を１個の外付け安定化容量２０２にて安定化させることが考えられる。しかし、例えばＶ２ １０１は１２Ｖ、Ｖ３ １０２は９Ｖ、Ｖ４ １０３は６Ｖ、Ｖ５ １０４は３Ｖとしたとき、Ｍ１０６が負極時にはＶ５ １０４とＶ４ １０３の電位差−３Ｖが外付け安定化容量２０２にかかり、Ｍ１０６が正極時にはＶ２ １０１とＶ３ １０２の電位差３Ｖが外付け安定化容量２０２にかかることになる。そのため、上記外付け安定化容量２０２にはＭ１０６の極性の変化時には最大６Ｖの充放電が発生し、余分な電力を消費してしまう。そこで、Ｍ１０６の極性の変化時において、外付け安定化容量２０２に同電位がかかるよう接続すれば、充放電は無視出来、余分電力を消費することなく、Ｖ２ １０１からＶ５ １０４の電圧レベルを、１つの外付け安定化容量で安定化させることが可能になると考えた。
【０００９】
そこで本発明は、図４に示すように、Ｖ１〜Ｖ５とＧＮＤの６レベルを出力する液晶駆動電源回路において、一定の周期毎に液晶印加電圧の極性を反転する交流化信号の極性に従って前記Ｖ２かＶ４を出力する出力端子のどちらかを選択するセレクタと、前記交流化信号の極性に従って前記Ｖ３かＶ５を出力する出力端子のどちらかを選択するセレクタを具備する。そして、前記Ｖ２とＶ３或いは前記Ｖ４とＶ５が同時に選択され、前記2つのセレクタの出力端子間に外付け安定化容量を接続することで、Ｖ２〜Ｖ５の４つの駆動電圧を１つの前記外付け安定化容量で安定化させることにした。
【００１０】
また、前記Ｖ２〜Ｖ５の駆動電圧レベルにおいて、前記交流化信号に従い使用しない駆動電圧レベルの出力動作を停止（Ｈｉ−ｚ出力）することにした。
【００１１】
また、前記交流化信号に従い使用する駆動電圧レベルと使用しない駆動電圧レベルの切り替えは、液晶表示パネルの最終の走査線が選択された後の垂直帰線期間にて行なうことにした。
【００１２】
また、その他の態様として、図１１に示すように、Ｖ１〜Ｖ５とＧＮＤの６レベルを出力する液晶駆動電源回路において、前記交流化信号の極性に従い使用しない駆動電圧レベルの出力動作を停止（Ｈｉ−ｚ出力）し、前期Ｖ２とＶ４を出力する出力端子を短絡し、前記Ｖ３とＶ５を出力する出力端子を短絡し、前記Ｖ２とＶ３を出力する出力端子間に外付け安定化容量を接続することで、前記Ｖ２〜Ｖ５の４つの駆動電圧を１つの前記外付け安定化容量で安定化させることにした。
【００１３】
また、その他の態様では、前記交流化信号の極性に従い使用する駆動電圧レベルと使用しない駆動電圧レベルの切り替えは、液晶表示パネルの最終の走査線が選択された後の垂直帰線期間にて行なうことにした。
【００１４】
【発明の実施の形態】
（第一の実施の形態）
以下、図３〜１０を用いて、本発明の第一の実施形態による液晶駆動電源回路の構成および動作について説明する。最初に、図３を用いて、液晶ディスプレイを含めた液晶表示装置の構成について説明する。図３において３００は液晶駆動電源回路、３０１はセグメント駆動回路、３０２はコモン駆動回路、３０３は液晶表示パネル、３０４は液晶コントローラ、３０５は液晶表示装置、３０６は有効表示信号ＤＩＳＰ、３０７は交流化信号M、３０８は垂直同期信号ＦＬＭ、３０９は水平同期信号ＣＬ１、３１０は画素の表示データ、３１１〜３１３は駆動電圧出力端子、３１４はGND、３１５及び３１６は外付け安定化容量、３１７はドットクロックであるＣＬ２である。液晶表示装置３０５は、液晶駆動電源回路３００とセグメント駆動回路３０１とコモン駆動回路３０２と液晶表示パネル３０３から構成され、液晶コントローラ３０５はＤＩＳＰ３０６・M３０７・ＦＬＭ３０８・ＣＬ１ ３０９・ＣＬ２ ３１７を、液晶駆動電源回路３００・セグメント駆動回路３０１・コモン駆動回路３０２へそれぞれ出力する。液晶駆動電源回路３００は電流増幅した電圧レベルを駆動電圧出力端子３１１〜３１３へ出力し、セグメント駆動回路３０１は画素の表示データ３１０及びM３０７及びＣＬ１ ３０９及びＣＬ２ ３１７に従って駆動電圧出力端子３１１〜３１３及びＧＮＤ３１４のいずれかを選択し、コモン駆動回路３０２はＦＬＭ３０８とＣＬ１３０９及びM３０７にしたがって駆動電圧出力端子３１１〜３１３及びＧＮＤ３１４のいずれかを選択し、それぞれ選択した駆動電圧出力端子に印加されている駆動電圧レベルを液晶表示パネル３０３の各セグメント線及び各コモン線へ出力する。また、駆動電圧出力端子３１１〜３１３に印加される駆動電圧の発振及びリンギングなどを抑えるために、外付け安定化容量３１５及び３１６を設けている。駆動電圧出力端子３１１はＶ１ １００を出力し、駆動電圧出力端子３１２はＭ３０７の極性に従ってＶ２ １０１またはＶ４ １０３を出力し、駆動電圧出力端子３１３はＭ３０７の極性に従ってＶ３ １０２またはＶ５ １０４を出力する。また、液晶駆動電源回路３００内の電流増幅回路は、ＤＩＳＰ３０６及びＭ３０７及びＦＬＭ３０８及びＣＬ１ ３０９より生成される制御信号により、始動及び停止動作（Hi−Z出力）を行なう。なお、上記駆動電圧出力端子３１２・３１３へ印可される駆動電圧及び液晶駆動電源回路３００内の電流増幅回路の始動・停止動作及び電流増幅回路の始動・停止動作に用いる制御信号のタイミングについては、図４〜６を用いて詳しく説明する。
【００１５】
次に図４を用いて、本実施形態による液晶駆動電源回路３００の構成について説明する。
【００１６】
図４において、４００は駆動電圧生成部、４０１は分圧回路、４０２は電流増幅部、４０３〜４０７は電流増幅回路、４０８はＶ２ １０１の駆動電圧出力端子、４０９はＶ３ １０２の駆動電圧出力端子、４１０はＶ４ １０３の駆動電圧出力端子、４１１はＶ５ １０４の駆動電圧出力端子、４１２及び４１３はセレクタ、４１４及び４１５は制御信号、４１６は制御信号生成回路、４１７は判定回路である。次に本実施形態による液晶駆動電源回路３００の動作について説明する。駆動電圧生成回路４００は、高電位電源電圧ＶＤＤとＧＮＤ間を抵抗分割することにより液晶表示パネル３０３に印加されるV1 １００〜V5 １０４の電圧と同じようになるように分圧する分圧回路４０１と、分圧して得られた電圧レベルを電流増幅する電流増幅部４０２と、電流増幅部４０２内の電流増幅回路４０４〜４０７の始動及び停止動作を制御する制御信号４１４及び制御信号４１５を生成する制御信号生成回路４１６から構成され、電流増幅した電圧レベルであるＶ１ １００〜Ｖ５ １０４を駆動電圧出力端子３１１・４０８〜４１１へ出力する。図１に示すとおり、Ｍ１０６が負極時にはＶ２ １０１及びＶ３ １０２は出力されておらず、また、Ｍ１０６が正極時にはＶ４ １０３及びＶ５ １０４は出力されていない。また、Ｖ２ １０１とＶ３ １０２の電位差１１３とＶ４ １０３とＶ５ １０４の電位差１１０は同電位である。上記のことから、例えばＭ３０７が正極から負極に変化する際は、制御信号４１４及び４１５にて制御するセレクタ４１２を用いて、駆動電圧出力端子４０８から外付け安定化容量３１６を切り離し、代わりに駆動電圧出力端子４１０に外付け安定化容量３１６を接続する。同様に、制御信号４１４及び４１５にて制御するセレクタ４１３を用いて、駆動電圧出力端子４０９から外付け安定化容量３１６を切り離し、代わりに駆動電圧出力端子４１１に外付け安定化容量３１６を接続する。また、Ｍ３０７が負極から正極に変化する際は、制御信号４１４及び４１５にて制御するセレクタ４１２を用いて、駆動電圧出力端子４１０から外付け安定化容量３１６を切り離し、代わりに駆動電圧出力端子４０８に外付け安定化容量３１６を接続する。また、同様に、制御信号４１４及び４１５にて制御するセレクタ４１３を用いて、駆動電圧出力端子４１１から外付け安定化容量３１６を切り離し、代わりに駆動電圧出力端子４０９に外付け安定化容量３１６を接続する。このように、Ｍ３０７が正負極時ともに同電位となる駆動電圧を出力する駆動電圧出力端子に外付け安定化容量３１６を接続することにより、外付け安定化容量３１６における充放電は無視できるため、余分電力を消費することなく、また、駆動電圧出力端子４０８〜４１１に印加されるＶ２ １０１〜Ｖ５ １０４の４つの駆動電圧を１つの外付け安定化容量にて安定化させることが可能となる。なお、駆動電圧出力端子３１１は、Ｍ３０７の正負の極性において使用するＶ１ １００が印加されるため、外付け安定化容量３１５を設け安定化させる。
【００１７】
次に、電流増幅回路４０４〜４０７の始動及び停止（Ｈｉ−Ｚ出力）動作について説明する。制御信号４１４は、制御信号生成回路４１６内の判定回路４１７にて、入力されたＤＩＳＰ３０６及びＭ３０７及びＦＲＭ３０８及びＣＬ１３０９より、垂直帰線期間内にて極性を変化させる。また、制御信号４１５は、制御信号４１４をインバータにより反転させ生成する。図５を用いて、制御信号４１４及び制御信号４１５のタイミングを説明する。ＤＩＳＰ３０６がＬｏｗのとき、水平・垂直帰線期間（無効表示期間）であることを表している。また、制御信号４１４は電流増幅回路４０４及び４０５を停止・始動するために用いる制御信号である。以上より、Ｍ３０７が負極時には電流増幅回路４０４及び４０５は用いないため、Ｍ３０７が正極時の垂直帰線期間５００時に、制御信号４１４をＬｏｗ（オフ）にする。また、Ｍ３０７が正極時には電流増幅回路４０４及び４０５を用いるため、Ｍ３０７が負極時の垂直帰線期間５０１時に、制御信号４１４をＨｉｇｈ（オン）にする。制御信号４１５は、制御信号４１４を反転した信号であり、電流増幅回路４０６及び４０７を停止・始動するための制御信号である。以上より、Ｍ３０７が正極時の垂直帰線期間５００時に、制御信号４１５はＨｉｇｈ（オン）となり、また、Ｍ３０７が負極時の垂直帰線期間５０１時に、制御信号４１４はＬｏｗ（オフ）となる。電流増幅回路４０４〜４０７の始動・停止の制御を、上記タイミングの制御信号４１４及び４１５を用いることで、Ｍ３０７が正極から負極に極性が変化した際には、電流増幅回路４０４及び電流増幅回路４０５は停止しており、電流増幅回路４０６及び電流増幅回路４０７は始動しているため、駆動電圧出力端子４０８及び４０９はＨｉ−Ｚが印加され、駆動電圧出力端子４１０及び４１１にはそれぞれＶ４ １０３及びＶ５ １０４が印加される。よって、駆動電圧出力端子３１２にはＶ４ １０３が、駆動電圧出力端子３１３にはＶ５ １０４が印加される。Ｍ３０７が負極から正極に極性が変化した際には、電流増幅回路４０４及び電流増幅回路４０５は始動しており、電流増幅回路４０６及び電流増幅回路４０７は停止しているため、駆動電圧出力端子４０８及び４０９はそれぞれＶ２ １０１及びＶ３ １０２が印可され、駆動電圧出力端子４１０及び４１１にはＨｉ−Ｚが出力される。よって、駆動電圧出力端子３１２にはＶ２ １０１が、駆動電圧出力端子３１３にはＶ３ １０２が印加される。このように、垂直帰線期間にて制御信号４１４及び４１５の極性を変化させ、制御信号４１４及び制御信号４１５にて電流増幅回路４０４〜４０７の始動・停止動作の制御及びセレクタ４１２及び４１３の切り替え制御を行なうことで、始動する電流増幅回路は垂直帰線期間内にて復帰時間を確保することが出来、また、停止時の電流増幅回路の消費電流は０μAに限りなく近くなり、M３０７の極性に従って必ず２個の電流増幅回路は停止するため、低消費電力化が図れる。
【００１８】
次に、Ｖ２ １０１を出力する電流増幅回路４０４の停止動作を、一例として図６を用いて説明する。図６において６００は差動段、６０１は出力段、６０２はインバータ、６０３は差動段からの出力ノードＳ１、６０４はＭＮ３及びＭＮ４のゲートノードＳ２である。Ｍ３０７が負極時には、電流増幅回路４０４は停止動作（Ｈｉ−Ｚ出力）する。出力電圧をＨｉ−Ｚ出力するには、出力段６０１のＭＰ３及びＭＮ４をオフにしなければならない。まず、ＭＰ３をオフにするには、ノードＳ１ ６０３に高電圧（ＶＤＤ）をかけなければならないため、ＶＤＤとＳ１ ６０３との間にＰＭＯＳであるＭＰＳ１を接続する。ＭＰＳ１のゲートには制御信号４１４を接続し、ＭＰＳ１のゲートに”ロウ”電圧がかかることで、ＭＰＳ１をオンにする。すると、Ｓ１ ６０３にはＶＤＤがかかり、ＭＰ３はオフとなる。また、差動段６００のＭＰ１及びＭＰ２のゲートとＶＤＤとの間にＰＭＯＳであるＭＰＳ２を接続する。ＭＰＳ２のゲートに制御信号４１４を接続し、ＭＰＳ２のゲートに”ロウ”電圧をかけることで、ＭＰＳ２をオンにする。すると、ＭＰ１及びＭＰ２のゲートにはＶＤＤがかかるため、ＭＰ１及びＭＰ２はオフとなる。次に定電流源であるＭＮ３及びＭＮ４をオフにするには、ノードＳ２ ６０４に低電圧（ＧＮＤ）をかけなければならないため、バイアス電圧ＶＢＩＡＳとノードＳ２ ６０４の間にＮＭＯＳであるＭＮＳ１を接続する。ＭＮＳ１のゲートに制御信号４１４を接続し、ＭＮＳ１のゲートに”ロウ”電圧をかけることで、ＭＮＳ１はオフとなり、ＭＮ３及びＭＮ４のゲートにはバイアス電圧ＶＢＩＡＳはかからなくなる。また、ノードＳ２ ６０４とＧＮＤとの間にＮＭＯＳであるＭＮＳ２を接続する。ＭＮＳ２のゲートには、制御信号４１４をインバータ６０２により反転した信号を接続することで、ＭＮＳ２のゲートには”ハイ”電圧がかかるため、ＭＮＳ２はオンとなる。すると、ノードＳ２ ６０４にはＧＮＤがかかるため、ＭＮ３及びＭＮ４はオフとなる。以上のように、ＭＰＳ１・ＭＰＳ２及びＭＮＳ１・ＭＮＳ２をそれぞれ接続することで、差動段６００及び出力段６０１のＭＯＳはオフとなり、Ｈｉ−Ｚ出力することになる。なお、図６の電流増幅回路の回路構成は一例であり、電流増幅回路の停止時の出力電圧がＨｉ−Ｚになるような回路構成であれば問題ない。
【００１９】
次に図７〜１０を用いて、液晶表示パネル３０３の画面サイズがセグメント数３１２（ＲＧＢ１０４）×コモン数８４時の、セグメント駆動回路３０１及びコモン駆動回路３０２の駆動電圧レベルの選択動作を説明する。まず初めに、図７を用いてセグメント駆動回路３０１の動作を説明する。図７は、７００はラッチ回路１、７０１はラッチ回路２、７０２はＳＥＧ選択回路１、７０３はラッチ回路２ ７０１からの出力データ信号、７０４及び７０５はNAND、７０６及び７０７はNOR、７０８及び７０９はPMOS、７１０及び７１１はNMOSであり、上記NAND及びNORの出力は上記PMOS及びNMOSのゲートに接続されている。セグメント駆動回路３０１は、入力されたデータ信号３１０をＣＬ２ ３１７に同期して１ライン分の表示データを取り込むラッチ回路１ ７００と、ラッチ回路１ ７００より出力された１ライン分の表示データをＣＬ１ ３０９に同期してＳＥＧ選択回路へ出力するラッチ回路２ ７０１と、液晶表示パネル３０３のセグメント数３１２本毎に所望の駆動電圧レベルをラッチ回路２ ７０１の出力データ信号及びＭ３０７に従って選択するＳＥＧ選択回路から構成されており、選択された駆動電圧レベルを各セグメント線に印加する。次に、図９を用いて、ＳＥＧ選択回路の選択動作について説明する。本説明においては、ＳＥＧ１へ所望の駆動電圧レベルを選択し印加するＳＥＧ選択回路１ ７０２を用いて、駆動電圧レベルの選択動作を説明する。ＳＥＧ選択回路１ ７０２は、図９の真理値表より、Ｍ３０７がＨｉｇｈ（負極）のとき、ラッチ回路２ ７０１より出力されたデータ信号７０３がＨｉｇｈ（表示オン）の場合はＧＮＤ１０５を選択し、ラッチ回路２ ７０１より出力されたデータ信号７０３がＬｏｗ（表示オフ）の場合はＶ４ １０３を選択する。また、Ｍ３０７がＬｏｗ（正極）のとき、ラッチ回路２ ７０１より出力されたデータ信号７０３がＨｉｇｈ（表示オン）の場合はＶ１ １００を選択し、ラッチ回路２ ７０１より出力されたデータ信号７０３がＬｏｗ（表示オフ）の場合はＶ３ １０２を選択する。
【００２０】
次に一例として、図８を用いて、コモン駆動回路３０２の動作を説明する。図８は、８００はシフトレジスタ、８０１はコモン選択回路１、８０２〜８０６はシフトレジスタから出力された選択信号、８０７及び８０８はNAND、８０９及び８１０はNOR、８１１及び８１２はPMOS、８１３及び８１４はNMOSであり、上記NAND及びNORの出力は上記PMOS及びNMOSのゲートに接続されている。コモン駆動回路３０２は、入力されたＦＲＭ３０８及びＣＬ１ ３０９により生成したコモン線の選択信号を順次シフトして出力するシフトレジスタと、液晶表示パネル３０３のコモン数８４本毎に所望の駆動電圧レベルをシフトレジスタ８００から出力された選択信号８０２〜８０６及びＭ３０７に従って選択するＣＯＭ選択回路から構成されており、所望の駆動電圧レベルを各コモン線に印加する。次に図１０を用いて、ＣＯＭ選択回路の選択動作について説明する。本説明においては、ＣＯＭ１へ所望の駆動電圧レベルを選択し印加する、ＣＯＭ選択回路１ ８０１を用いて、駆動電圧レベルの選択動作を説明する。ＣＯＭ選択回路１ ８０１は、図１０の真理値表より、Ｍ３０７がＨｉｇｈ（負極）のとき、選択信号８０２がＨｉｇｈ（選択）の場合はＶ１ １００を選択し、選択信号８０２がＬｏｗ（非選択）の場合はＶ５ １０４を選択する。また、Ｍ３０７がＬｏｗ（正極）のとき、選択信号８０２がＨｉｇｈ（選択）の場合はＧＮＤ１０５を選択し、選択信号８０２がＬｏｗ（非選択）の場合はＶ２ １０１を選択する。以上、図７及び図８の回路構成により、所望の駆動電圧レベルを選択し、液晶表示パネル３０３の各セグメント線及び各コモン線へ出力することが可能となる。なお、図７及び図８で示した回路構成は一例であり、所望の駆動電圧レベルを選択する回路構成であれば問題ない。
（第ニの実施の形態）
以下、本発明の第二の実施形態による液晶駆動電源回路を、図１１を用いて説明する。本実施形態は、第１の実施の形態で用いたセレクタ４１２及びセレクタ４１３を用いずに、Ｖ２〜Ｖ５の４つの駆動電圧を１つの外付け安定化容量にて安定化させるために、駆動電圧出力端子４０８と駆動電圧出力端子４１０を短絡し、駆動電圧出力端子４０９と駆動電圧出力端子４１１を短絡した。
【００２１】
図１に示すとおり、Ｍ１０６が負極時にはＶ２ １０１及びＶ３ １０２は出力されておらず、また、Ｍ１０６が正極時にはＶ４ １０３及びＶ５ １０４は出力されていない。また、Ｖ２ １０１とＶ３ １０２の電位差１１３とＶ４ １０３とＶ５ １０４の電位差１１０は同電位である。上記のことから、液晶駆動電源回路１１００では、駆動電圧出力端子４０８と駆動電圧出力端子４１０を短絡し、また、駆動電圧出力端子４０９と駆動電圧出力端子４１１を短絡し、駆動電圧出力端子３１２と駆動電圧出力端子３１３との間に外付け安定化容量３１６を接続する。例えば、Ｍ３０７が負極時には、第一の実施の形態でも説明したように、電流増幅回路４０４及び電流増幅回路４０５は停止しており、外付け安定化容量３１６には始動している電流増幅回路４０６及び４０７から出力された駆動電圧レベルＶ４ １０３とＶ５ １０４の電位差がかかることになる。また、Ｍ３０７が正極時には、第一の実施の形態でも説明したように、電流増幅回路４０６及び４０７は停止しており、外付け安定化容量３１６には始動している電流増幅回路４０４及び４０５から出力された駆動電圧レベルＶ２ １０１とＶ３ １０２の電位差がかかることになる。したがって、外付け安定化容量３１６には、第一の実施の形態と同じく、Ｍ３０７が正負極時ともに同電位がかかることになり、外付け安定化容量３１６における充放電は無視できるため、余分な電力を消費することなく、駆動電圧出力端子４０８〜４１１に印可されるＶ２ １０１〜Ｖ５ １０４の４つの駆動電圧を１つの外付け安定化容量３１６にて安定化させることが可能となる。本発明の実施形態による液晶駆動電源回路は、従来５個あった外付け安定化容量を２個にすることができる。
【００２２】
【発明の効果】
本発明によれば、安定化容量を削減することによって、部品点数を削減するという効果を奏する。
【図面の簡単な説明】
【図１】電圧平均化方式による液晶駆動波形を示す図である。
【図２】課題を解決するための手段による液晶駆動電源回路の概略構成を示す図である。
【図３】本発明の第１の実施形態による液晶ディスプレイを含めた液晶表示装置の概略構成を示す図である。
【図４】本発明の第１の実施形態による液晶駆動電源回路の概略構成を示す図である。
【図５】本発明の第１の実施形態による制御信号のタイミングを示す図である。
【図６】本発明の第１の実施形態による電流増幅回路の概略構成を示す図である。
【図７】本発明の第１の実施形態によるセグメント駆動回路の概略構成を示す図である。
【図８】本発明の第１の実施形態によるコモン駆動回路の概略構成を示す図である。
【図９】本発明の第１の実施形態によるＳＥＧ選択回路の真理値表を示す図である。
【図１０】本発明の第１の実施形態によるＳＥＧ選択回路の真理値表を示す図である。
【図１１】本発明の第２の実施形態による液晶駆動電源回路の概略構成を示す図である。
【符号の説明】
１００…Ｖ１、１０１…Ｖ２、１０２…Ｖ３、１０３…Ｖ４、１０４…Ｖ５、１０５…ＧＮＤ、１０６…交流化信号Ｍ、１０７…１フレーム期間、１０８・１１１…Ｖｓｅｌ、１０９・１１２…−Ｖｄ、１１０・１１３…＋Ｖｄ、２００・２０１…セレクタ、２０２…外付け安定化容量、３００…液晶駆動電源回路、３０１…セグメント駆動回路、３０２…コモン駆動回路、３０３…液晶表示パネル、３０４…液晶コントローラ、３０５…液晶表示装置、３０６…有効表示信号ＤＩＳＰ、３０７…交流化信号M、３０８…垂直同期信号ＦＲＭ、３０９…水平同期信号ＣＬ１、３１０…画素の表示データ、３１１〜３１３…駆動電圧出力端子、３１４…GND、３１５・３１６…外付け安定化容量、３１７…ドットクロックＣＬ２、４００…駆動電圧生成部、４０１…分圧回路、４０２…電流増幅部、４０３〜４０７…電流増幅回路、４０８…Ｖ２ １０１の駆動電圧出力端子、４０９…Ｖ３ １０２の駆動電圧出力端子、４１０…Ｖ４ １０３の駆動電圧出力端子、４１１…Ｖ５ １０４の駆動電圧出力端子、４１２・４１３…セレクタ、４１４・４１５…制御信号、４１６…制御信号生成回路、４１７…判定回路、５００…Ｍ３０７が正極時の垂直帰線期間、５０１…Ｍ３０７が負極時の垂直帰線期間、６００…差動段、６０１…出力段、６０２…インバータ、６０３…ノードＳ１、６０４…ノードＳ２、７００…ラッチ回路１、７０１…ラッチ回路２、７０２…ＳＥＧ選択回路１、７０３…ラッチ回路からの出力データ信号、７０４・７０５…NAND、７０６・７０７…NOR、７０８・７０９…PMOS、７１０・７１１…NMOS、８００…シフトレジスタ、８０１…ＣＯＭ選択回路１、８０２〜８０６…シフトレジスタから出力された選択信号、８０７・８０８…NAND、８０９・８１０…NOR、８１１・８１２…PMOS、８１３・８１４…NMOS、１１００…液晶駆動電源回路
【図１】
2004205580.tif 000003
【図２】
2004205580.tif 000004
【図３】
2004205580.tif 000005
【図４】
2004205580.tif 000006
【図５】
2004205580.tif 000007
【図６】
2004205580.tif 000008
【図７】
2004205580.tif 000009
【図８】
2004205580.tif 000010
【図９】
2004205580.tif 000011
【図１０】
2004205580.tif 000012
【図１１】
2004205580.tif 000013